(57)【要約】【課題】より完成度の高い写真シールを提供する。【解決手段】利用者を被写体とした撮影を行うことで、撮影画像が生成される。印刷処理においては、ロール紙に、複数の撮影画像が配置されてなるレイアウト画像を印刷した写真シールが出力される。また、印刷処理においては、レイアウト画像のシールレイアウトを選択するためのレイアウト選択画面において選択されたシールレイアウトに応じて、一度に出力される写真シール全体の大きさを変えて、写真シールが出力される。本技術は、例えば、写真シール作成装置に適用することができる。【選択図】図１９
2017194596.tif 000002
【特許請求の範囲】
【請求項１】
利用者を被写体とした撮影を行うことで、撮影画像を生成する撮影処理部と、
ロール紙に、複数の前記撮影画像が配置されてなるレイアウト画像を印刷した写真シールを出力する印刷処理部と、
前記レイアウト画像のシールレイアウトを選択するためのレイアウト選択画面を表示する表示制御部と
を備え、
前記印刷処理部は、前記レイアウト選択画面において選択された前記シールレイアウトに応じて、一度に出力される前記写真シール全体の大きさを変えて、前記写真シールを出力する
写真シール作成装置。
【請求項２】
前記表示制御部は、前記レイアウト選択画面において、前記シールレイアウトをその種類毎に分類するためのタブ表示を行い、
前記印刷処理部は、前記レイアウト選択画面において選択された前記タブに応じて、一度に出力される前記写真シール全体の大きさを変える
請求項１に記載の写真シール作成装置。
【請求項３】
前記印刷処理部は、前記レイアウト画像が印刷された前記ロール紙を所定のカット位置でカットし、前記写真シールとして出力するカット制御部を有し、
前記カット制御部は、前記ロール紙の送り方向における前記カット位置であって、前記レイアウト選択画面において選択された前記シールレイアウトに応じた第１のカット位置で前記ロール紙をカットする
請求項１または２に記載の写真シール作成装置。
【請求項４】
前記カット制御部は、前記レイアウト選択画面において特定の前記シールレイアウトが選択された場合、前記ロール紙の送り方向における前記カット位置であって、前記写真シール全体を複数に分割する第２のカット位置で前記ロール紙をさらにカットする
請求項３に記載の写真シール作成装置。
【請求項５】
前記カット制御部は、前記レイアウト選択画面において特定の前記シールレイアウトが選択された場合、前記ロール紙の送り方向と直交する向きにおける前記カット位置であって、前記写真シール全体を複数に分割する第２のカット位置で前記ロール紙をさらにカットする
請求項３に記載の写真シール作成装置。
【請求項６】
前記カット制御部は、前記レイアウト選択画面において特定の前記シールレイアウトが選択された場合、前記ロール紙の送り方向における第２のカット位置と、前記ロール紙の送り方向と直交する向きにおける第３のカット位置とで前記ロール紙をさらにカットする
請求項３に記載の写真シール作成装置。
【請求項７】
前記シールレイアウトは、前記レイアウト画像に配置される前記撮影画像の枚数、前記撮影画像それぞれの位置および大きさの少なくともいずれか１つを決定するものである
請求項１乃至６のいずれかに記載の写真シール作成装置。
【請求項８】
前記レイアウト画像に配置される前記撮影画像のアスペクト比は、前記シールレイアウトによらず一定である
請求項７に記載の写真シール作成装置。
【請求項９】
利用者を被写体とした撮影を行うことで、撮影画像を生成する撮影処理部と、
ロール紙に、複数の前記撮影画像が配置されてなるレイアウト画像を印刷した写真シールを出力する印刷処理部と、
前記レイアウト画像のシールレイアウトを選択するためのレイアウト選択画面を表示する表示制御部と
を備える写真シール作成装置の印刷方法であって、
前記印刷処理部が、前記レイアウト選択画面において選択された前記シールレイアウトに応じて、一度に出力される前記写真シール全体の大きさを変えて、前記写真シールを出力する
ステップを含む印刷方法。
【発明の詳細な説明】
【技術分野】
【０００１】
本技術は、写真シール作成装置および印刷方法に関し、特に、完成度の高い写真シールを提供することができるようにする写真シール作成装置および印刷方法に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
写真シール機としては、画像が印刷されたロール紙をカットして、写真シールとして出力するプリンタを搭載しているものが多く存在する。しかしながら、このようなプリンタにおいては、カット位置にばらつきが生じるおそれがあった。
【０００４】
カット位置にばらつきが生じた場合、先に出力された写真シールのふちの色が、後に出力される写真シールに残ってしまい、１枚の写真シールとして見た場合に不自然な仕上がりになってしまい、利用者の満足度を低下させるおそれがあった。
【０００５】
そこで、特許文献１には、先に出力された写真シールのふちの色が、後に出力される写真シールに残らないようなカット位置でロール紙を２回カットする写真シール作成装置が記載されている。
【先行技術文献】
【特許文献】
【０００６】
【特許文献１】特開２０１５−５５８０２号公報
【発明の概要】
【発明が解決しようとする課題】
【０００７】
ここで、利用者により選択されたレイアウト（配置パターン）で撮影画像が配置されてなる画像をレイアウト画像というものとする。写真シール機においては、ロール紙に、このレイアウト画像が印刷されたものが、写真シールとして出力される。
【０００８】
従来の写真シール機においては、どのレイアウト画像がロール紙に印刷された場合であっても、ロール紙のカット位置は同じ、すなわち、出力される写真シールの大きさは同じであった。
【０００９】
そのため、印刷されるレイアウト画像によっては、配置されている撮影画像の周りの領域（レイアウト画像全体のふちとなる領域）が余ったり、逆に狭くなったりしてしまう。そのため、１枚の写真シールを１つの出力物としてみた場合に不自然な仕上がりになってしまい、利用者の満足度を低下させるおそれがあった。また、このことは、レイアウト画像におけるレイアウト上の制限にもなり、レイアウト画像のデザイン性の向上の妨げになるおそれもあった。
【００１０】
本技術は、このような状況に鑑みてなされたものであり、より完成度の高い写真シールを提供することができるようにするものである。
【課題を解決するための手段】
【００１１】
本技術の一側面の写真シール作成装置は、利用者を被写体とした撮影を行うことで、撮影画像を生成する撮影処理部と、ロール紙に、複数の前記撮影画像が配置されてなるレイアウト画像を印刷した写真シールを出力する印刷処理部と、前記レイアウト画像のシールレイアウトを選択するためのレイアウト選択画面を表示する表示制御部とを備え、前記印刷処理部は、前記レイアウト選択画面において選択された前記シールレイアウトに応じて、一度に出力される前記写真シール全体の大きさを変えて、前記写真シールを出力する。
【００１２】
本技術の一側面の印刷方法は、利用者を被写体とした撮影を行うことで、撮影画像を生成する撮影処理部と、ロール紙に、複数の前記撮影画像が配置されてなるレイアウト画像を印刷した写真シールを出力する印刷処理部と、前記レイアウト画像のシールレイアウトを選択するためのレイアウト選択画面を表示する表示制御部とを備える写真シール作成装置の印刷方法であって、前記印刷処理部が、前記レイアウト選択画面において選択された前記シールレイアウトに応じて、一度に出力される前記写真シール全体の大きさを変えて、前記写真シールを出力するステップを含む。
【００１３】
本技術の一側面においては、利用者を被写体とした撮影を行うことで、撮影画像が生成され、ロール紙に、複数の撮影画像が配置されてなるレイアウト画像を印刷した写真シールが出力され、レイアウト画像のシールレイアウトを選択するためのレイアウト選択画面が表示され、レイアウト選択画面において選択されたシールレイアウトに応じて、一度に出力される写真シール全体の大きさが変えられて、写真シールが出力される。
【発明の効果】
【００１４】
本技術によれば、より完成度の高い写真シールを提供することが可能となる。
【図面の簡単な説明】
【００１５】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】写真シール作成装置の内部の構成例を示すブロック図である。
【図１０】制御部の機能構成例を示すブロック図である。
【図１１】編集処理部の機能構成例を示すブロック図である。
【図１２】印刷処理部の機能構成例を示すブロック図である。
【図１３】写真シール作成ゲーム処理について説明するフローチャートである。
【図１４】編集処理について説明するフローチャートである。
【図１５】分割数選択画面の例を示す図である。
【図１６】分割数選択画面の例を示す図である。
【図１７】分割数選択画面の例を示す図である。
【図１８】分割数選択画面の例を示す図である。
【図１９】印刷処理について説明するフローチャートである。
【図２０】ロール紙のカット位置について説明する図である。
【図２１】ロール紙のカット位置について説明する図である。
【図２２】ロール紙のカット位置について説明する図である。
【図２３】ロール紙のカット位置について説明する図である。
【図２４】ロール紙の送り方向の長さの違いについて説明する図である。
【図２５】ロール紙に印刷されるレイアウト画像の例を示す図である。
【図２６】ロール紙に印刷されるレイアウト画像の例を示す図である。
【図２７】ロール紙に印刷されるレイアウト画像の例を示す図である。
【図２８】ロール紙に印刷されるレイアウト画像の例を示す図である。
【図２９】写真シールの例を示す図である。
【図３０】編集制御部の機能構成例を示すブロック図である。
【図３１】編集画面の例を示す図である。
【図３２】編集画面の例を示す図である。
【図３３】白ふち加工の詳細について説明する図である。
【図３４】白ふち加工が施された撮影画像に対する編集について説明する図である。
【図３５】ガイダンス画面の例を示す図である。
【図３６】シール紙に印刷される白ふち加工画像の例を示す図である。
【図３７】合成用画像の位置と撮影画像の印刷態様について説明する図である。
【図３８】合成用画像の位置と撮影画像の印刷態様について説明する図である。
【図３９】白ふち加工画像に合成される合成用画像の例を示す図である。
【図４０】白ふち加工画像に合成される合成用画像の例を示す図である。
【発明を実施するための形態】
【００１６】
以下、本技術を適用した具体的な実施の形態について、図面を参照しながら詳細に説明する。
【００１７】
＜写真シール作成装置の外観構成＞
図１および図２は、写真シール作成装置１の外観の構成例を示す斜視図である。
【００１８】
写真シール作成装置１は、撮影画像や編集画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１９】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００２０】
図１に示すように、写真シール作成装置１は、基本的に、撮影ユニット１１と編集ユニット１２が接した状態で設置されることによって構成される。
【００２１】
撮影ユニット１１は、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて設置される。撮影部２１と背景部２２の間に形成される空間が、撮影処理が行われる撮影空間となる。
【００２２】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２３】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置されるものとする。なお、事前選択部２０は、側面パネル４１Ｂに設置されるようにしてもよいし、側面パネル４１Ａ，４１Ｂの両方に設置されるようにしてもよい。
【００２４】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２５】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２６】
なお、背面パネル５１の撮影空間側の面には、例えば緑色のクロマキー用のシートが貼り付けられる。写真シール作成装置１は、クロマキー用のシートを背景として撮影することで、撮影処理や編集処理においてクロマキー合成を行う。これにより、利用者が所望する背景画像がシートの部分に合成される。
【００２７】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００２８】
撮影空間の上方には、撮影部２１の正面、連結部２３Ａ、および連結部２３Ｂに囲まれた天井が形成される。その天井の一部に、天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられている。これにより、天井ストロボユニット２４は、撮影空間の照明としても機能する。
【００２９】
編集ユニット１２は、撮影画像に編集を施すための装置である。編集ユニット１２は、一方の側面が撮影部２１の正面パネル４２に接するようにして、撮影ユニット１１に連結している。
【００３０】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３１】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００３２】
編集ユニット１２の上方にはカーテンレール２６が取り付けられる。カーテンレール２６は、３本のレール２６Ａ乃至２６Ｃが、組み合わせられて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３３】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３４】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００３５】
＜利用者の移動について＞
ここで、写真シール作成ゲームの流れと、それに伴う利用者の移動について説明する。図３は、写真シール作成装置１を上から見た平面図である。
【００３６】
まず、利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００３７】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。そして利用者は、撮影部２１に設けられたカメラやタッチパネルモニタなど利用して撮影作業を行う。
【００３８】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００３９】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４０】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００４１】
印刷待ち空間Ａ３に移動した利用者は、画像の印刷の終了を待つ。印刷が終了すると、利用者は、編集ユニット１２の右側面に設けられた排出口から排出されたシール紙を受け取り、一連の写真シール作成ゲームを終える。
【００４２】
次に、各装置の構成について説明する。
【００４３】
＜事前選択部の構成＞
図４は、事前選択部２０の構成例を示す図である。
【００４４】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影に関するコースの選択などを行わせる事前選択処理に用いられる画面が表示される。
【００４５】
タッチパネルモニタ７１の下方には、スピーカ７２が設けられる。スピーカ７２は、事前選択処理の案内音声、BGM（Back Ground Music）、効果音などを出力する。また、スピーカ７２に隣接するようにして、利用者が硬貨を入れる硬貨投入返却口７３が設けられる。
【００４６】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００４７】
正面パネル４２の中央よりやや上側には、カメラユニット８１が設けられる。カメラユニット８１は、カメラ９１およびタッチパネルモニタ９２から構成される。
【００４８】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００４９】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。タッチパネルモニタ９２には、カメラ９１により取り込まれた動画像（ライブビュー画像）や静止画像（撮影画像）が表示される。
【００５０】
カメラユニット８１の上方には、曲面の発光面を利用者に向けた上ストロボユニット８２が設置される。上ストロボユニット８２は、利用者の正面上方から、利用者の顔および上半身に光を照射する。
【００５１】
カメラユニット８１の下方には、利用者の下半身および足元に光を照射する足元ストロボユニット８３が設けられる。
【００５２】
上ストロボユニット８２および足元ストロボユニット８３は、蛍光灯とストロボ発光可能な照明機器とにより構成される。上ストロボユニット８２および足元ストロボユニット８３は、撮影空間を明るくして、利用者の操作性や安全性を確保するために、撮影空間内を常時照らすとともに、撮影画像の画質を向上させるために、撮影タイミングでストロボ発光し、被写体となる利用者に光を照射する。
【００５３】
足元ストロボユニット８３と側面パネル４１Ａとの間には、箱状部８４が設けられる。また、足元ストロボユニット８３と側面パネル４１Ｂとの間には、箱状部８５が設けられる。箱状部８４，８５の上面は、写真シール作成装置１の設置面と略水平な面をなし、撮影作業を行う利用者が手荷物などを置くための荷物置き場として用いられる。
【００５４】
なお、図示はしないが、正面パネル４２の例えば天井付近には、スピーカが設けられる。そのスピーカは、撮影処理の案内音声、BGM、効果音などを出力する。
【００５５】
＜背景部の構成＞
図６は、背景部２２の撮影空間Ａ１側の構成例を示す図である。
【００５６】
背面パネル５１の上方には、背面上ストロボ１０１が設置される。背面上ストロボ１０１は、背面上方から利用者に光を照射する。
【００５７】
図中、背面パネル５１の左方には、背面左ストロボ１０２が設置される。背面左ストロボ１０２は、背面右方から利用者を照射する。図中、背面パネル５１の右方には、背面右ストロボ１０３が設置される。背面右ストロボ１０３は、背面左方から利用者を照射する。
【００５８】
また、背面パネル５１の撮影空間Ａ１側（図中、手前側）の面には、クロマキーシート１２１が貼り付けられる。クロマキーシート１２１の色は、例えば緑色とされる。
【００５９】
なお、図示はしないが、側面パネル５２Ａ，５２Ｂの撮影空間Ａ１側の面にも、クロマキーシート１２１と同様に、クロマキーシートが貼り付けられる。
【００６０】
＜編集ユニットの構成＞
図７は、編集ユニット１２の正面側（編集空間Ａ２−１側）の構成例を示す図である。
【００６１】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００６２】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６３】
図８は、編集ユニット１２の左側面の構成例を示す図である。
【００６４】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００６５】
＜写真シール作成装置の内部構成＞
図９は、写真シール作成装置１の内部の構成例を示すブロック図である。図９において、上述した構成と同じ構成には同じ符号を付してある。重複する説明については適宜省略する。
【００６６】
制御部２０１はCPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、事前選択部２０８、撮影部２０９、編集部２１０Ａ，２１０Ｂ、および印刷部２１１の各構成も接続される。
【００６７】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００６８】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像を、例えば写真シール作成装置１の製造メーカが管理するサーバに送信する。通信部２０３から送信された画像は、サーバにおいて所定の記憶領域が割り当てられて保存され、サーバにアクセスしてきた携帯端末上で表示されたり、その携帯端末にダウンロードされたりする。
【００６９】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００７０】
ROM２０６は、制御部２０１において実行されるプログラムやデータを記憶する。RAM２０７は、制御部２０１が処理するデータやプログラムを一時的に記憶する。
【００７１】
事前選択部２０８は、事前選択空間Ａ０にいる利用者を対象とした事前選択処理を実現する。事前選択部２０８は、タッチパネルモニタ７１、スピーカ７２、および硬貨処理部２２１から構成される。
【００７２】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の設定が行われる。
【００７３】
硬貨処理部２２１は、硬貨投入返却口７３への硬貨の投入を検出する。硬貨処理部２２１は、所定の金額分の硬貨が投入されたことを検出した場合、ゲームの開始を指示する起動信号を制御部２０１に出力する。
【００７４】
撮影部２０９は、撮影空間Ａ１にいる利用者を対象とした撮影処理を実現する。撮影部２０９は、照明装置２３１、カメラ９１、タッチパネルモニタ９２、およびスピーカ２３２から構成される。
【００７５】
照明装置２３１は、撮影空間Ａ１内の各ストロボユニットであり、制御部２０１から供給される照明制御信号に従って発光する。
【００７６】
カメラ９１は、制御部２０１によるシャッタ制御に従って撮影を行い、撮影によって得られた撮影画像（画像データ）を制御部２０１に出力する。
【００７７】
編集部２１０Ａは、編集空間Ａ２−１にいる利用者を対象とした編集処理を実現する。編集部２１０Ａは、タブレット内蔵モニタ１３１、タッチペン１３２Ａ，１３２Ｂ、およびスピーカ２４１から構成される。編集部２１０Ｂは、編集空間Ａ２−２にいる利用者を対象とした編集処理を実現し、編集部２１０Ａと同一の構成を有する。なお、以下、編集部２１０Ａ，２１０Ｂを特に区別しない場合には、単に、編集部２１０という。
【００７８】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００７９】
印刷部２１１は、印刷待ち空間Ａ３にいる利用者に、印刷済みのシール紙である写真シールを出力する印刷処理を実現する。印刷部２１１は、プリンタ２５１を含むように構成される。プリンタ２５１にはシール紙ユニット２５２が装着される。
【００８０】
プリンタ２５１は、制御部２０１から供給された印刷データに基づいて、内蔵するヘッド２６１によって、画像をシール紙ユニット２５２に収納されているロール紙２６３に印刷する。また、プリンタ２５１は、画像を印刷したロール紙２６３を出力口に向けて送り、内蔵するカッター２６２によって所定のカット位置でカットして、シール紙排出口１６１に排出する。
【００８１】
＜制御部の構成＞
図１０は、制御部２０１の機能構成例を示すブロック図である。図１０に示す機能部のうちの少なくとも一部は、制御部２０１内のCPUにより所定のプログラムが実行されることによって実現される。これにより、写真シール作成装置１は、画像提供装置として機能する。
【００８２】
制御部２０１は、事前選択処理部３０１、撮影処理部３０２、編集処理部３０３、および印刷処理部３０４から構成される。
【００８３】
事前選択処理部３０１は、事前選択部２０８の各部を制御することで、事前選択処理を実行する。撮影処理部３０２は、撮影部２０９の各部を制御することで、撮影処理を実行する。編集処理部３０３は、編集部２１０の各部を制御することで、編集処理を実行する。印刷処理部３０４は、印刷部２１１のプリンタ２５１を制御することで、印刷処理を実行する。
【００８４】
＜編集処理部の構成例＞
図１１は、編集処理部３０３の機能構成例を示すブロック図である。
【００８５】
編集処理部３０３は、表示制御部３３１、編集制御部３３２、ガイダンス出力制御部３３３、および通信制御部３３４から構成される。
【００８６】
表示制御部３３１は、タブレット内蔵モニタ１３１の表示を制御する。例えば、表示制御部３３１は、タブレット内蔵モニタ１３１に、撮影画像に施される画像処理の内容を選択するための選択画面や、撮影画像を対象とした編集作業のための編集画面を表示させる。
【００８７】
編集制御部３３２は、編集画面に対する操作に応じて、撮影画像に編集を施す。具体的には、編集制御部３３２は、編集画面において利用者により選択された合成用画像を、撮影画像の所定の位置に合成する。
【００８８】
ガイダンス出力制御部３３３は、編集の進め方などを説明するガイダンスの出力を制御する。ガイダンス出力制御部３３３は、編集の進め方などを説明する画面をタブレット内蔵モニタ１３１に表示させたり、編集の進め方などを説明する音声をスピーカ２４１から出力させたりする。
【００８９】
通信制御部３３４は、通信部２０３を制御し、インターネットなどのネットワークを介した通信に関する処理を行う。例えば、通信制御部３３４は、通信部２０３を制御することで、撮影処理において得られた撮影画像や、編集処理において得られた編集画像を、上述したサーバへ送信する。
【００９０】
＜印刷処理部の構成例＞
図１２は、印刷処理部３０４の機能構成例を示すブロック図である。
【００９１】
印刷処理部３０４は、印刷制御部３４１、カット位置設定部３４２、およびカット制御部３４３から構成される。
【００９２】
印刷制御部３４１は、印刷データを生成し、プリンタ２５１に内蔵されているヘッド２６１を制御することで、その印刷データに対応する画像を、シール紙ユニット２５２に収納されているロール紙２６３に印刷させる。また、印刷制御部３４１は、プリンタ２５１を制御することで、画像が印刷されたロール紙を、プリンタ２５１の出力口に向けて送り出させる。
【００９３】
カット位置設定部３４２は、プリンタ２５１の出力口に向けて送り出されているロール紙２６３の送り量（送られた長さ）を監視することによって、ロール紙２６３をカットすべき位置であるカット位置を設定する。
【００９４】
カット制御部３４３は、プリンタ２５１の出力口に向けて送り出されているロール紙２６３において、カット位置設定部３４２によって設定されたカット位置が、プリンタ２５１に内蔵されているカッター２６２の刃の位置に来たときに、ロール紙２６３をカットするよう制御する。画像が印刷されカットされたロール紙は、写真シールとしてプリンタ２５１の出力口から出力され、シール紙排出口１６１に排出される。
【００９５】
＜写真シール作成装置の動作＞
ここで、図１４のフローチャートを参照して、写真シール作成ゲームを提供する写真シール作成装置１の動作について説明する。
【００９６】
ステップＳ１において、事前選択処理部３０１は、所定の金額分の硬貨が投入されたか否かを、硬貨処理部２２１から供給される起動信号に基づいて判定し、硬貨が投入されたと判定するまで待機する。
【００９７】
ステップＳ１において、硬貨が投入されたと判定された場合、処理はステップＳ２に進む。ステップＳ２において、事前選択処理部３０１は、事前選択部２０８を制御することで、事前選択処理を行う。具体的には、事前選択処理部３０１は、例えば、被写体となる利用者の人数を示す人数コースや、撮影空間で行われる撮影に関する撮影コース、撮影の際に利用者がとるポーズの見本となるポーズ画像、撮影画像の背景となる背景画像などの選択を利用者に行わせることで、各種の設定を行う。
【００９８】
ステップＳ３において、撮影処理部３０２は、撮影部２０９を制御することで、撮影処理を行う。具体的には、撮影処理部３０２は、カメラ９１に取り込まれた被写体の動画像をタッチパネルモニタ９２にライブビュー表示させ、撮影空間Ａ１にいる利用者を被写体として撮影し、撮影画像を生成する。
【００９９】
撮影処理においては、複数回（例えば５回）の撮影が行われる。事前選択処理において選択された撮影コースによって、５回行われる撮影として、アップ撮影のみが行われたり、アップ撮影と全身撮影とが行われたりする。
【０１００】
ここで、アップ撮影とは、被写体の顔および上半身を撮影範囲とした撮影である。アップ撮影により、撮影画像として、被写体の顔および上半身が写るアップ画像が得られる。一方、全身撮影とは、被写体の全身を撮影範囲とした撮影である。全身撮影により、撮影画像として、被写体の全身が写る全身画像が得られる。
【０１０１】
ステップＳ４において、編集処理部３０３は、編集空間Ａ２−１と編集空間Ａ２−２のうち、撮影処理を終えた利用者の移動先とした方の編集空間に対応する編集部２１０を制御することで、編集処理を行う。具体的には、編集処理部３０３は、撮影処理により得られた撮影画像に対して利用者に編集作業を行わせることで、編集が施された編集画像を生成する。
【０１０２】
ステップＳ５において、印刷処理部３０４は、プリンタ２５１を制御することで、印刷処理を行う（開始する）。具体的には、印刷処理部３０４は、所定のレイアウトで配置された撮影画像や編集画像をプリンタ２５１に出力してシール紙（ロール紙２６３）に印刷する。
【０１０３】
印刷が終了すると、ステップＳ６において、プリンタ２５１は、画像が印刷されたシール紙をシール紙排出口１６１に排出し、処理を終了させる。
【０１０４】
＜編集処理の詳細＞
次に、図１４のフローチャートを参照して、上述した写真シール作成ゲームの一連の処理におけるステップＳ４の編集処理の詳細について説明する。
【０１０５】
編集処理が開始されると、ステップＳ３１において、表示制御部３３１は、タブレット内蔵モニタ１３１に盛れ感選択画面を表示させる。
【０１０６】
盛れ感選択画面は、盛れ感の選択に用いられる画面である。「盛れ感」とは、目の大きさ、顔の大きさ、まつ毛の濃さなど、顔や目の見た目の印象を誇張する（良く見せる）際の、誇張の度合いを表す。盛れ感選択画面には、４種類（４段階）の盛れ感それぞれを選択するための４つのボタンが表示される。
【０１０７】
盛れ感選択画面において、盛れ感を選択するためのボタンのいずれかが選択されると、処理はステップＳ３２に進む。
【０１０８】
ステップＳ３２において、表示制御部３３１は、タブレット内蔵モニタ１３１に目の写り選択画面を表示させる。
【０１０９】
目の写り選択画面は、目の形と黒目（瞳）の大きさの選択に用いられる画面である。目の写り選択画面には、３種類の目の形それぞれを選択するための３つのボタンと、２種類の黒目の大きさそれぞれを選択するための２つのボタンとが表示される。
【０１１０】
目の写り選択画面において、目の形を選択するためのボタンのいずれかと、黒目の大きさを選択するためのボタンのいずれかが選択されると、処理はステップＳ３３に進む。
【０１１１】
ステップＳ３３において、表示制御部３３１は、タブレット内蔵モニタ１３１にうるおい選択画面を表示させる。
【０１１２】
うるおい選択画面は、主に顔の部分の肌のうるおいと、目のうるおいの選択に用いられる画面である。ここでいう「うるおい」は、肌や目の質感を表す。うるおい選択画面には、３種類の肌のうるおいそれぞれを選択するための３つのボタンと、２種類の目のうるおいそれぞれを選択するための２つのボタンとが表示される。
【０１１３】
うるおい選択画面において、肌のうるおいを選択するためのボタンのいずれかと、目のうるおいを選択するためのボタンのいずれかが選択されると、処理はステップＳ３４に進む。
【０１１４】
ステップＳ３４において、表示制御部３３１は、タブレット内蔵モニタ１３１に編集画面を表示させる。
【０１１５】
編集画面は、編集対象となる撮影画像の編集に用いられる画面である。編集画面には、編集対象となる撮影画像と、編集に用いられるスタンプ画像やペン画像などの各種の編集ツール（合成用画像）が表示される。
【０１１６】
利用者は、タッチペン１３２Ａ，１３２Ｂを用いて、スタンプ画像やペン画像などを編集対象となる撮影画像上の所定の位置へ重畳することで、編集対象となる撮影画像に対する合成用画像の合成が行われる。
【０１１７】
すなわち、ステップＳ３５において、編集制御部３３２は、利用者の操作に応じて、編集対象となる撮影画像に編集を施す。
【０１１８】
編集作業が終了すると、ステップＳ３６において、表示制御部３３１は、タブレット内蔵モニタ１３１に分割数選択画面を表示させる。
【０１１９】
分割数選択画面は、最終的に出力される写真シールの分割数やシールレイアウトの選択に用いられる画面である。シールレイアウトは、１枚の写真シールに配置される編集画像（撮影画像）の枚数や位置、大きさを決定するレイアウト（配置パターン）である。ここで、利用者により選択されたシールレイアウトに従って編集画像が配置されてなる画像、すなわち、ロール紙に印刷されて最終的に写真シールとして出力される画像をレイアウト画像という。このレイアウト画像のイメージを表すシール紙イメージは、記憶部２０２に記憶される。
【０１２０】
したがって、分割数選択画面には、例えば５枚の撮影画像それぞれに編集が施された編集画像が、異なるシールレイアウトで配置されたレイアウト画像が複数表示される。
【０１２１】
分割数選択画面において、レイアウト画像のいずれかが選択されると、処理はステップＳ３７に進む。
【０１２２】
ステップＳ３７において、表示制御部３３１は、タブレット内蔵モニタ１３１に携帯送信用画像選択画面を表示させる。
【０１２３】
携帯送信用画像選択画面は、携帯送信用画像の選択に用いられる画面である。携帯送信用画像は、上述したサーバを介して、利用者の所有する携帯端末上で表示されたり、その携帯端末にダウンロードされたりする撮影画像である。携帯送信用画像選択画面には、例えば５枚の編集画像に編集が施される前の５枚の撮影画像や、編集画面において作成された携帯送信専用の画像が表示される。
【０１２４】
携帯送信用画像選択画面において、携帯送信用画像として、画像のいずれかが選択されると、処理はステップＳ３８に進む。
【０１２５】
ステップＳ３８において、表示制御部３３１は、タブレット内蔵モニタ１３１にアドレス入力画面を表示させる。
【０１２６】
アドレス入力画面は、利用者の所有する携帯端末のメールアドレスの入力に用いられる画面である。アドレス入力画面は、メールアドレスに用いることが可能なアルファベットや記号、携帯電話機のキャリアを選択するためのボタンと、選択されたボタンに対応する文字列が表示されるテキストボックスが表示される。
【０１２７】
アドレス入力画面において、メールアドレスの入力が終了すると、処理はステップＳ３９に進む。
【０１２８】
ステップＳ３９において、通信制御部３３４は、通信部２０３を制御することで、インターネットなどのネットワークを介して、利用者により選択された携帯送信用画像を、利用者によりアドレス入力画面に入力されたメールアドレスとともに、上述したサーバに送信する。
【０１２９】
サーバは、利用者により入力されたメールアドレス宛てに、携帯端末がサーバにアクセスするのに必要なURLが記載されたメールを送信する。そして、そのURLに基づいて、利用者が所有する携帯端末が、ネットワークを介してサーバにアクセスすることで、サーバに送信された画像が携帯端末に提供される。
【０１３０】
その後、ステップＳ４０において、ガイダンス出力制御部３３３は、編集作業を終えた利用者に対して、印刷待ち空間Ａ３への移動を案内する。印刷待ち空間Ａ３への移動の案内は、編集部２１０のタブレット内蔵モニタ１３１に案内画面を表示させることによって、または音声をスピーカ２４１から出力させることによって行われる。
【０１３１】
以上のようにして、編集処理が行われる。
【０１３２】
＜分割数選択画面の例＞
ここで、上述した編集処理のステップＳ３６において表示される分割数選択画面について説明する。
【０１３３】
図１５は、分割数選択画面の例を示している。
【０１３４】
分割数選択画面は、ロール紙に印刷されて最終的に写真シールとして出力されるレイアウト画像のシールレイアウトを選択するためのレイアウト選択画面として構成される。分割数選択画面においては、シールレイアウト（レイアウト画像）をその種類毎に分類するためのタブ表示が行われる。シールレイアウトの種類は、分割数によって決まる。すなわち、分割数選択画面においては、レイアウト画像が、分割数毎のタブにより表示される。
【０１３５】
図１５の分割数選択画面においては、４つのタブ４１１乃至４１４が示されている。
【０１３６】
タブ４１１は、分割数が「切れてる分割」であるレイアウト画像を表示するために選択される。「切れてる分割」は、写真シールを２枚に分割することができるシールレイアウトを有するレイアウト画像の分割数である。「切れてる分割」のレイアウト画像が選択された場合、そのレイアウト画像が印刷された写真シールは、２枚にカットされた状態で出力される。
【０１３７】
タブ４１２は、分割数が「イマドキ分割」であるレイアウト画像を表示するために選択される。「イマドキ分割」もまた、写真シールを２枚に分割することができるシールレイアウトを有するレイアウト画像の分割数である。「イマドキ分割」のレイアウト画像のシールレイアウトは、他の分割数のレイアウト画像のシールレイアウトより高いデザイン性を有する。
【０１３８】
タブ４１３は、分割数が「小分割・大分割」であるレイアウト画像を表示するために選択される。「小分割・大分割」は、編集画像が、他の分割数のレイアウト画像より小さいサイズで多く配置されるか（小分割）、大きいサイズで１枚ずつ配置される（大分割）シールレイアウトを有するレイアウト画像の分割数である。
【０１３９】
タブ４１４は、分割数が「記念日分割」であるレイアウト画像を表示するために選択される。「記念日分割」は、誕生日などの記念日をイメージしたシールレイアウトを有するレイアウト画像の分割数である。「記念日分割」であるレイアウト画像においては、所定の１枚の撮影画像が、他の撮影画像より大きいサイズで配置される。
【０１４０】
図１５の例では、タブ４１１が選択され、「切れてる分割」であるレイアウト画像が表示されている。図１５の分割数選択画面においては、主な構成が左右対称に設けられている。このような画面構成により、２人の利用者が同時にレイアウト画像を選択することができる。
【０１４１】
図１５の分割数選択画面において、左右それぞれの領域の下側には、シールレイアウト選択領域４２１が設けられる。シールレイアウト選択領域４２１は、選択肢としての複数のレイアウト画像が表示される領域である。図１５の例では、６枚のレイアウト画像が表示されている。
【０１４２】
シールレイアウト選択領域４２１の上方には、印刷イメージとしての選択レイアウト画像４２２が表示される。選択レイアウト画像４２２は、シールレイアウト選択領域４２１において選択されたレイアウト画像である。図１５の例では、選択レイアウト画像４２２は、シールレイアウト選択領域４２１において、太枠で囲われている左上のレイアウト画像とされる。
【０１４３】
選択レイアウト画像４２２の傍らには、ＯＫボタン４２３が設けられる。
【０１４４】
ＯＫボタン４２３が選択されると、印刷イメージとして表示されている選択レイアウト画像４２２が、ロール紙に印刷されて最終的に写真シールとして出力されるレイアウト画像に確定される。
【０１４５】
図１６は、分割数選択画面の他の例を示している。
【０１４６】
図１６の例では、タブ４１２が選択され、「イマドキ分割」であるレイアウト画像が表示されている。図１６の分割数選択画面においても、主な構成が左右対称に設けられており、２人の利用者が同時にレイアウト画像を選択することができる。
【０１４７】
図１６の分割数選択画面において、左右それぞれの領域の下側には、シールレイアウト選択領域４４１が設けられる。シールレイアウト選択領域４４１は、選択肢としての複数のレイアウト画像が表示される領域である。図１６の例では、６枚のレイアウト画像が表示されている。
【０１４８】
シールレイアウト選択領域４４１の上方には、印刷イメージとしての選択レイアウト画像４４２が表示される。選択レイアウト画像４４２は、シールレイアウト選択領域４４１において選択されたレイアウト画像である。図１６の例では、選択レイアウト画像４４２は、シールレイアウト選択領域４４１において、太枠で囲われている左上のレイアウト画像とされる。
【０１４９】
選択レイアウト画像４４２の傍らには、ＯＫボタン４４３が設けられる。
【０１５０】
ＯＫボタン４４３が選択されると、印刷イメージとして表示されている選択レイアウト画像４４２が、ロール紙に印刷されて最終的に写真シールとして出力されるレイアウト画像に確定される。
【０１５１】
なお、図１６の分割数選択画面の中央に示されているように、「イマドキ分割」のレイアウト画像が選択された場合に出力される写真シールは、はさみなどで切り分けられることで、２人の利用者に所有されるようになる。
【０１５２】
図１７は、分割数選択画面のさらに他の例を示している。
【０１５３】
図１７の例では、タブ４１３が選択され、「小分割・大分割」であるレイアウト画像が表示されている。
【０１５４】
図１７の分割数選択画面の右側には、シールレイアウト選択領域４６１が設けられる。シールレイアウト選択領域４６１は、選択肢としての複数のレイアウト画像が表示される領域である。図１７の例では、左側に小分割のレイアウト画像が、右側に大分割のレイアウト画像が表示されている。
【０１５５】
図１７の分割数選択画面の左側には、印刷イメージとしての選択レイアウト画像４６２が表示される。選択レイアウト画像４６２は、シールレイアウト選択領域４６１において選択されたレイアウト画像である。図１７の例では、選択レイアウト画像４６２は、シールレイアウト選択領域４６１において、太枠で囲われている右側のレイアウト画像とされる。
【０１５６】
シールレイアウト選択領域４６１の下には、ＯＫボタン４６３が設けられる。
【０１５７】
ＯＫボタン４６３が選択されると、印刷イメージとして表示されている選択レイアウト画像４６２が、ロール紙に印刷されて最終的に写真シールとして出力されるレイアウト画像に確定される。
【０１５８】
なお、図１５乃至図１７の分割数選択画面は、事前選択処理において選択される人数コースである２人用コースおよび大人数コースのうち、２人用コースが選択された場合に表示される。
【０１５９】
一方、事前選択処理において、人数コースとして大人数コースが選択された場合、図１８に示される分割数選択画面が表示される。
【０１６０】
図１８の分割数選択画面においては、上述したタブ４１１乃至４１４に加え、タブ４１５が示されており、そのタブ４１５が選択されている。
【０１６１】
タブ４１５は、分割数が「３人用」であるレイアウト画像を表示するために選択される。「３人用」は、写真シールを３人で切り分けることができるシールレイアウトを有するレイアウト画像の分割数である。
【０１６２】
図１８の分割数選択画面の右側には、シールレイアウト選択領域４８１が設けられる。シールレイアウト選択領域４８１は、選択肢としての複数のレイアウト画像が表示される領域である。図１８の例では、２枚のレイアウト画像が表示されている。
【０１６３】
図１８の分割数選択画面の左側には、印刷イメージとしての選択レイアウト画像４８２が表示される。選択レイアウト画像４８２は、シールレイアウト選択領域４８１において選択されたレイアウト画像である。図１８の例では、選択レイアウト画像４８２は、シールレイアウト選択領域４８１において、太枠で囲われている右側のレイアウト画像とされる。
【０１６４】
シールレイアウト選択領域４８１の下には、ＯＫボタン４８３が設けられる。
【０１６５】
ＯＫボタン４８３が選択されると、印刷イメージとして表示されている選択レイアウト画像４８２が、ロール紙に印刷されて最終的に写真シールとして出力されるレイアウト画像に確定される。
【０１６６】
詳細は後述するが、シールレイアウトの種類（すなわち分割数）によって、最終的に出力される写真シールの大きさは異なる。そのため、１つの画面に、異なる種類のシールレイアウトのレイアウト画像を混在させて表示させた場合、レイアウト画像それぞれの大きさも異なるので、画面上でのレイアウト画像それぞれの配置が整然とならないおそれがある。その結果、利用者は、所望のシールレイアウトを見つけ出しにくくなり、その選択に時間を要してしまう。
【０１６７】
そこで、上述した分割数選択画面においては、シールレイアウトの種類毎に、レイアウト画像がタブ表示される（分割数のタブ毎に表示される）ので、１つの画面に、同じ種類のシールレイアウトのレイアウト画像を表示し、画面上でのレイアウト画像それぞれの配置を整然とさせることができる。これにより、利用者は、所望のシールレイアウトを見つけ出しやすくなり、その選択を短時間で済ませることができる。
【０１６８】
また、いずれの種類のシールレイアウトにおいても、レイアウト画像に配置される編集画像のアスペクト比は、シールレイアウトによらず一定とされる。具体的には、アップ画像の横縦比は１：1.2とされ、全身画像の横縦比は１：1.4とされる。なお、レイアウト画像に配置される編集画像に限らず、撮影結果としての撮影画像や、編集が施された個々の編集画像、シール紙に印刷される印刷画像、そして、携帯端末に送信される携帯送信用画像のアスペクト比は、いずれもこれに従うものとする。これにより、どの画像においても、見た目の印象を変わらないようにすることができる。
【０１６９】
＜印刷処理の詳細＞
次に、図１４のフローチャートを参照して、上述した写真シール作成ゲームの一連の処理におけるステップＳ５の印刷処理の詳細について説明する。
【０１７０】
ステップＳ５１において、印刷制御部３４１は、利用者により選択されたレイアウト画像のシール紙イメージを記憶部２０２から読み出し、読み出したシール紙イメージに基づいて印刷データを生成する。
【０１７１】
ステップＳ５２において、印刷制御部３４１は、ロール紙に、生成した印刷データに対応するレイアウト画像を印刷する。レイアウト画像が印刷されたロール紙は、プリンタ２５１の出力口に向けて送り出される。
【０１７２】
ステップＳ５３において、カット位置設定部３４２は、プリンタ２５１の出力口に向けて送り出されているロール紙に対して、印刷されたレイアウト画像に基づいてカット位置を設定する。
【０１７３】
そして、ステップＳ５４において、カット制御部３４３は、カット位置設定部３４２によって設定されたカット位置で、ロール紙をカットする。
【０１７４】
図２０は、図中下方向に送り出されるロール紙５１０に、「イマドキ分割」のレイアウト画像５２１が印刷されている状態を示している。
【０１７５】
レイアウト画像５２１は、分割数選択画面（図１６）の左右それぞれにおいて選択された、２つのレイアウト画像からなる。
【０１７６】
ここで、レイアウト画像５２１の送り方向の長さをｄ１とすると、送り方向の長さｄ１に基づいてカット位置Ｃ１が設定され、設定されたカット位置Ｃ１でロール紙５１０がカットされる。カットされたロール紙は、写真シールとしてプリンタ２５１の出力口から出力され、シール紙排出口１６１に排出される。
【０１７７】
「イマドキ分割」のレイアウト画像が印刷されて出力された写真シール全体の大きさは、アスペクト比がおよそ６：４となる大きさとされる。なお、このような写真シールの大きさを、以下、ＫＧサイズということとする。
【０１７８】
図２１は、図中下方向に送り出されるロール紙５１０に、「３人用」のレイアウト画像５２２が印刷されている状態を示している。
【０１７９】
レイアウト画像５２２は、分割数選択画面（図１８）において選択されたレイアウト画像である。
【０１８０】
ここで、レイアウト画像５２２の送り方向の長さをｄ１とすると、送り方向の長さｄ１に基づいてカット位置Ｃ１が設定され、設定されたカット位置Ｃ１でロール紙５１０がカットされる。カットされたロール紙は、写真シールとしてプリンタ２５１の出力口から出力され、シール紙排出口１６１に排出される。
【０１８１】
すなわち、「３人用」のレイアウト画像が印刷されて出力された写真シール全体の大きさもまた、「イマドキ分割」の写真シール全体の大きさと同じＫＧサイズとされる。なお、図示はしないが、「小分割・大分割」のうちの小分割のレイアウト画像や、「記念日分割」のレイアウト画像が印刷されて出力された写真シール全体の大きさもまた、ＫＧサイズとされる。
【０１８２】
図２２は、図中下方向に送り出されるロール紙５１０に、「小分割・大分割」のうちの大分割のレイアウト画像５２３が印刷されている状態を示している。
【０１８３】
レイアウト画像５２３は、分割数選択画面（図１７）において選択されたレイアウト画像である。
【０１８４】
ここで、レイアウト画像５２３の送り方向の長さをｄ２とすると、送り方向の長さｄ２に基づいてカット位置Ｃ２が設定され、設定されたカット位置Ｃ２でロール紙５１０がカットされる。カットされたロール紙は、写真シールとしてプリンタ２５１の出力口から出力され、シール紙排出口１６１に排出される。
【０１８５】
「小分割・大分割」のうちの大分割のレイアウト画像が印刷されて出力された写真シール全体の大きさは、アスペクト比は、およそ６：3.5となる大きさとされる。なお、このような写真シールの大きさを、以下、Ｖサイズということとする。
【０１８６】
図２３は、図中下方向に送り出されるロール紙５１０に、「切れてる分割」のレイアウト画像５２４，５２５が印刷されている状態を示している。
【０１８７】
レイアウト画像５２４，５２５は、分割数選択画面（図１５）の左右それぞれにおいて選択された２つのレイアウト画像である。
【０１８８】
ここで、レイアウト画像５２４，５２５全体の送り方向の長さをｄ２とすると、送り方向の長さｄ２に基づいてカット位置Ｃ２が設定される、さらに、レイアウト画像５２４とレイアウト画像５２５の境界にＣ３が設定される。そして、設定されたカット位置Ｃ２，Ｃ３でロール紙５１０がカットされる。カットされたロール紙は、写真シールとしてプリンタ２５１の出力口から出力され、シール紙排出口１６１に排出される。
【０１８９】
このように、「切れてる分割」のレイアウト画像が選択された場合、そのシールレイアウトに応じたカット位置Ｃ２に加え、写真シール全体を複数（２つ）に分割するカット位置Ｃ３でロール紙がカットされる。
【０１９０】
なお、図示はしないが、「切れてる分割」のシールレイアウトが選択された場合、そのシールレイアウトに応じたカット位置Ｃ２に加え、ロール紙の送り方向と直交する向き（ロール紙の幅方向）におけるカット位置であって、写真シール全体を複数に分割するカット位置でロール紙がカットされるようにしてもよい。この場合、写真シールは、ロール紙の送り方向と平行な方向で２枚にカットされた状態で出力されるようになる。
【０１９１】
さらに、図示はしないが、「切れてる分割」のシールレイアウトが選択された場合、そのシールレイアウトに応じたカット位置Ｃ２，Ｃ３に加え、ロール紙の送り方向と直交する向き（ロール紙の幅方向）におけるカット位置であって、写真シール全体を複数に分割するカット位置でロール紙がカットされるようにしてもよい。この場合、写真シールは、ロール紙の送り方向と直交する方向と、送り方向と平行な方向とで４枚にカットされた状態で出力されるようになる。
【０１９２】
「切れてる分割」のレイアウト画像が印刷されて出力された２枚の写真シール全体の大きさもまた、大分割の写真シール全体の大きさと同じＶサイズとされる。
【０１９３】
以上のようにして、分割数選択画面において選択されたシールレイアウト（レイアウト画像）の種類に応じて、一度に（すなわち１回のゲームにおいて）出力される写真シール全体の大きさが変わるようになされる。具体的には、ロール紙は、送り方向と直交する向きの長さ（ロール紙の幅）は一定であるので、図２４に示されるように、シールレイアウトの種類に応じて、ロール紙の送り方向の長さが変わるようになされる。
【０１９４】
これにより、印刷されるレイアウト画像のシールレイアウトによって、撮影画像の周りの領域（レイアウト画像全体のふちとなる領域、つまり、撮影画像が配置されない領域）が余ったり、逆に狭くなったりしてしまうことを避けることができる。その結果、１枚の写真シールを１つの出力物としてみた場合の仕上がりを自然なものとすることができ、より完成度の高い写真シールを提供することが可能となり、ひいては利用者の満足度を向上させることができる。
【０１９５】
またこれにより、レイアウト画像におけるレイアウト上の制限を緩和することができ、レイアウト画像のデザイン性の向上を図ることも可能となる。
【０１９６】
ところで、レイアウト画像におけるロール紙の送り方向の長さｄ１やｄ２は、レイアウト画像に配置される編集画像（撮影画像）の送り方向の長さによって決定されるようにしてもよい。レイアウト画像に配置される撮影画像の送り方向の長さは、以下のようにして決めることができる。
【０１９７】
図２５は、ロール紙に印刷されるレイアウト画像の例を示している。なお、図中、紙面右方向がロール紙の送り方向であるものとする。図２５の例において、レイアウト画像に配置される撮影画像の送り方向の長さは、レイアウト画像に配置される撮影画像のうち、最も送り方向側に配置されている撮影画像の送り方向先端と、最も送り方向と反対方向側に配置されている撮影画像の送り方向終端との間の長さｄ１１とされる。
【０１９８】
同様に、図２６の例において、レイアウト画像に配置される撮影画像の送り方向の長さは、レイアウト画像に配置される撮影画像のうち、最も送り方向側に配置されている撮影画像の送り方向先端と、最も送り方向と反対方向側に配置されている撮影画像の送り方向終端との間の長さｄ１２とされる。
【０１９９】
また、図２７の例において、レイアウト画像に配置される撮影画像の送り方向の長さは、左側のレイアウト画像に配置される撮影画像の送り方向の長さｄ２１と、右側のレイアウト画像に配置される撮影画像の送り方向の長さｄ２２のうち、より長い方の長さとされる。図２７の例では、レイアウト画像に配置される撮影画像の送り方向の長さはｄ２２となる。
【０２００】
さらに、図２８の例において、レイアウト画像に配置される撮影画像の送り方向の長さは、レイアウト画像の左側に配置される他より大きい撮影画像の送り方向の長さｄ３１と、レイアウト画像の右側に配置される複数の撮影画像の送り方向の長さｄ３２のうち、より長い方の長さとされる。図２８の例では、レイアウト画像に配置される撮影画像の送り方向の長さはｄ３２となる。
【０２０１】
上述したように、本実施の形態の写真シール作成装置１においては、レイアウト選択画面において選択されたシールレイアウト（レイアウト画像）に応じて、一度に（１回のゲームにおいて）出力される写真シール全体の大きさが変わるものとした。
【０２０２】
撮影画像は、レイアウト選択画面において選択されたシールレイアウトによって、アスペクト比一定で大きさを変えてレイアウト画像に配置される。すなわち、本実施の形態の写真シール作成装置１においては、レイアウト画像に配置される撮影画像の大きさに応じて、一度に出力される写真シール全体の大きさが変わるものとみなすこともできる。
【０２０３】
この場合、レイアウト画像に配置される撮影画像の大きさを利用者に選択させ、選択された撮影画像の大きさに応じて、一度に出力される写真シール全体の大きさが変わるようにしてもよい。
【０２０４】
＜その他の例＞
以上においては、レイアウト選択画面において選択されたシールレイアウトに応じて、出力される写真シールの大きさが変わるものとしたが、以下においては、さらなる他の条件によって、出力される写真シールの大きさが変わる例について説明する。
【０２０５】
（撮影画像の枚数）
事前選択処理において選択された人数コースや撮影コースによって、得られる撮影画像の枚数が異なるようにすることができる。例えば、人数コースである２人用コースおよび大人数コースのうち、大人数コースが選択された場合、通常より撮影回数を少なくするようにする。
【０２０６】
この場合、撮影画像の枚数に応じて、出力される写真シールの大きさが変わるものとする。例えば、通常の撮影回数を５回とした場合、出力される写真シールの大きさを小さくし、大人数コースが選択され、撮影回数を通常より少ない４回とした場合、出力される写真シールの大きさを大きくする。これにより、多くの利用者が写る撮影画像が配置される写真シールにおいて、個々の利用者の顔が小さくなり過ぎないようにすることができる。
【０２０７】
また、ゲームの進行が早い利用者に対して、通常の撮影回数に加えて１回の撮影（ボーナス撮影）を行わせるようにしてもよい。この場合、上述した例とは逆に、ボーナス撮影が行われなかった場合には、出力される写真シールの大きさを小さくし、ボーナス撮影が行われた場合には、出力される写真シールの大きさを大きくする。
【０２０８】
さらに、撮影回数ではなく、編集対象として選択可能な撮影画像（キープ画像）の枚数に応じて、出力される写真シールの大きさが変わるようにしてもよい。例えば、キープ画像の枚数が５枚の場合、出力される写真シールの大きさを小さくし、キープ画像の枚数が６枚の場合、出力される写真シールの大きさを大きくする。
【０２０９】
（アップ画像と全身画像）
上述したように、事前選択処理において選択された撮影コースによって、例えば５回行われる撮影として、アップ撮影のみが行われたり、アップ撮影と全身撮影とが行われたりする。撮影画像として得られるアップ画像と全身画像とで横の長さを揃えた場合には、全身画像の方が大きくなる（高さ方向に長くなる）。
【０２１０】
そこで、全身撮影が行われるか否かに応じて、出力される写真シールの大きさが変わるようにする。例えば、アップ撮影のみが行われた場合、出力される写真シールの大きさを小さくし、アップ画像と全身画像とが行われた場合、出力される写真シールの大きさを大きくする。これにより、レイアウト画像において、配置される撮影画像の周りの領域（レイアウト画像全体のふちとなる領域）が狭くなることを避けることができる。
【０２１１】
また、撮影画像として、正方形またはそれに近い形状の撮影画像のみが得られたり、長方形の撮影画像も得られるようにしてもよい。正方形またはそれに近い形状の撮影画像のみが得られた場合、出力される写真シールの大きさを小さくし、長方形の撮影画像も得られた場合、出力される写真シールの大きさを大きくする。
【０２１２】
（ポーズ選択１）
事前選択処理において選択されるポーズ画像として、５枚の撮影画像にストーリー性を持たせるストーリーポーズ画像を用意するようにしてもよい。ストーリーポーズ画像は、５枚の撮影画像に対応した５つのポーズ画像からなり、ストーリー毎に一括して選択することができる。
【０２１３】
この場合、ストーリーポーズ画像が選択されたか否かに応じて、出力される写真シールの大きさが変わるものとする。例えば、ストーリーポーズ画像が選択された場合、出力される写真シールの大きさを小さくし、ストーリーポーズ画像が選択されなかった場合、出力される写真シールの大きさを大きくする。
【０２１４】
図２９は、ストーリーポーズ画像が選択された場合に出力される写真シールの例を示している。
【０２１５】
写真シール５５１は、５枚の編集画像５６１乃至５６５が横一列に配置されるシールレイアウトを有する。編集画像５６１乃至５６５それぞれには、ストーリーポーズ画像のポーズを見本にポーズをとっている利用者が写り、対応するスタンプ画像が合成されている。これらのポーズおよびスタンプ画像は、編集画像５６１から編集画像５６５に向かって、所定の童話や童謡などの１つのストーリーを構成している。
【０２１６】
このように、ストーリーポーズ画像が選択された場合には、そのストーリーの流れがわかりやすいように、編集画像が一列に配置されるシールレイアウトが望ましい。したがって、ストーリーポーズ画像が選択された場合には、出力される写真シールの大きさを小さくすることができる。
【０２１７】
（ポーズ選択２）
ポーズ画像として、手や腕を使ったポーズのポーズ画像が選択されたか否かに応じて、出力される写真シールの大きさが変わるようにしてもよい。撮影時に手や腕を使ったポーズをとった場合、撮影範囲を広くしないと手や腕が見切れてしまう。そこで、手や腕を使ったポーズのポーズ画像が選択されなかった場合、出力される写真シールの大きさを小さくし、手や腕を使ったポーズのポーズ画像が選択された場合、出力される写真シールの大きさを大きくする。これにより、撮影時に手や腕を使ったポーズをとった場合に、その手や腕が見切れないように撮影範囲を広くすることができる。
【０２１８】
（投入代金）
利用者が、硬貨投入口に投入される代金を選択できるようにしてもよい。
【０２１９】
この場合、硬貨投入口に投入された代金に応じて、出力される写真シールの大きさが変わるようにしてもよい。例えば、投入された代金が３００円である場合、出力される写真シールの大きさを小さくし、投入された代金が４００円である場合、出力される写真シールの大きさを大きくする。
【０２２０】
（利用者の人数）
事前選択処理において選択された人数コースに応じて、出力される写真シールの大きさが変わるようにしてもよい。例えば、２人用コースが選択された場合、出力される写真シールの大きさを小さくし、大人数コースが選択された場合、出力される写真シールの大きさを大きくする。これにより、多くの利用者が写る撮影画像が配置される写真シールにおいて、個々の利用者の顔が小さくなり過ぎないようにすることができる。
【０２２１】
（利用者の性別）
利用者が女性同士であるか、男女のカップルであるかに応じて、出力される写真シールの大きさが変わるようにしてもよい。特に男性の利用者は、小さい撮影画像が配置された写真シールより、大きい撮影画像が配置された写真シールを好むと考えられるので、例えば、利用者が女性同士である場合、出力される写真シールの大きさを小さくし、男女のカップルである場合、出力される写真シールの大きさを大きくする。
【０２２２】
（編集内容）
撮影画像に施された編集内容に応じて、出力される写真シールの大きさが変わるようにしてもよい。例えば、撮影画像に合成されたスタンプ画像やペン画像の量が一定量より少ない場合、出力される写真シールの大きさを小さくし、撮影画像に合成されたスタンプ画像やペン画像の量が一定量以上ある場合、出力される写真シールの大きさを大きくする。これにより、出力された写真シールにおいて、スタンプ画像やペン画像が多く合成された場合であっても、利用者は、その細部まで確認することができる。
【０２２３】
（背景画像）
撮影画像の背景部分に背景画像が合成されるか否かに応じて、出力される写真シールの大きさが変わるようにしてもよい。例えば、撮影画像の背景部分に背景画像が合成されないで、撮影空間内の背面パネルが写るようにした場合、出力される写真シールの大きさを小さくし、撮影画像の背景部分に背景画像が合成される場合、出力される写真シールの大きさを大きくする。これにより、撮影画像に合成された背景画像の絵柄が細かいデザインであっても、利用者は、その細部まで確認することができる。
【０２２４】
（携帯送信用画像の送信）
携帯送信用画像が、例えば利用者の所有する携帯端末に送信されるか否かに応じて、出力される写真シールの大きさが変わるようにしてもよい。例えば、携帯送信用画像が利用者の携帯端末に送信される場合、出力される写真シールの大きさを小さくし、携帯送信用画像が利用者の携帯端末に送信されない場合、出力される写真シールの大きさを大きくする。携帯送信用画像が携帯端末に送信されなかった利用者は、出力物として、写真シールしか手にすることができない。そこで、その写真シールの大きさを大きくすることで、携帯送信用画像が携帯端末に送信された利用者との差別化を図るとともに、写真シールの付加価値を高めるようにする。
【０２２５】
なお、携帯送信用画像が携帯端末に送信されるか否かは、写真シール作成装置１の通信機能のON/OFFや、編集画面における携帯送信用画像の作成の有無によって決定される。
【０２２６】
（有料会員）
携帯送信用画像を取得するには、写真シール作成装置１のメーカにより設けられるWebサイトの会員になる必要がある。会員には、写真シール作成装置１におけるゲームにより得られた撮影画像全てを取得できる有料会員と、撮影画像１枚のみを取得できる無料会員とがある。
【０２２７】
そこで、利用者が無料会員である場合、出力される写真シールの大きさを小さくし、利用者が有料会員である場合、出力される写真シールの大きさを大きくするようにしてもよい。これにより、有料会員と無料会員との差別化を図ることができ、有料会員の増加を見込むことができるようになる。
【０２２８】
（裏ワザ）
編集画面において、所定の箇所をタッチペンによりタッチすると、通常では提供されないスタンプ画像やペン画像が提供される機能（裏ワザ機能）を設けるようにしてもよい。
【０２２９】
この場合、例えば、裏ワザ機能が用いられなかった場合、出力される写真シールの大きさを小さくし、裏ワザ機能が用いられた場合、出力される写真シールの大きさを大きくするようにしてもよい。これにより、裏ワザ機能を見つけた利用者に対して、より大きな特別感を与えることができる。
【０２３０】
（証明写真コース）
近年、通常の写真シールを提供するコース（プリコース）に加え、証明写真を提供するコース（証明写真コース）を有する写真シール機がある。このような写真シール機において、いずれのコースが選択されたかに応じて、出力される写真シールの大きさが変わるようにしてもよい。
【０２３１】
例えば、プリコースが選択された場合、出力される写真シールの大きさを小さくし、証明写真コースが選択された場合、出力される写真シールの大きさを大きくする。これにより、証明写真として用いられる写真シールの視認性を確保することができる。
【０２３２】
また逆に、証明写真コースが選択された場合、出力される写真シールの大きさを小さくし、プリコースが選択された場合、出力される写真シールの大きさを大きくするようにしてもよい。これにより、撮影画像に対して様々な編集が施された場合であっても、利用者は、その細部まで確認することができる。
【０２３３】
＜他の実施の形態＞
近年、スマートフォンにインストールされているアプリケーションを用いて、画像の縁部分に白色の縁（枠）を付ける加工を施すことが行われている。このような加工が施された画像は、主に、主に、SNS(Social Networking Service)やミニブログなどのサイトに投稿するための画像として用いられる。
【０２３４】
写真シール機のメインユーザである女子高生の間では、写真シール機でのゲームにより得られた撮影画像に対して、上述した加工を施すことが行われている。
【０２３５】
利用者が、白色の縁が付された画像を作成する場合、スマートフォンに対する指での操作より、写真シール機の画面に対するタッチペンでの操作の方が、自由度が高く、利用者にとって楽である。
【０２３６】
そこで、以下においては、撮影画像の縁部分に白色の縁（枠）を付ける加工を施す写真シール作成装置の構成について説明する。
【０２３７】
＜編集制御部の機能構成＞
図３０は、本実施の形態における編集制御部３３２の機能構成例を示すブロック図である。
【０２３８】
編集制御部３３２は、合成部６０１および縁形成部６０２を有している。
【０２３９】
合成部６０１は、編集画面に対する操作に応じて、編集画面において利用者により選択された合成用画像を、撮影画像の所定の位置に合成する。
【０２４０】
縁形成部６０２は、編集画面に対する操作に応じて、撮影画像の縁部分に、太さ可変で白色の縁領域を形成する。
【０２４１】
このような構成により、写真シール作成装置１において、撮影画像の縁部分に白色の縁（以下、白ふちという）を付ける加工（以下、白ふち加工という）を施すことが可能となる。
【０２４２】
＜編集画面の例＞
図３１は、白ふち加工を施すことができる編集画面の例を示している。
【０２４３】
編集画面には、主な構成が、一部を除き左右に２つずつ設けられるが、図３１に示される編集画面は、タブレット内蔵モニタ１３１に表示される編集画面の左半分のみを示している。
【０２４４】
編集領域６１１は、その上側に示される５枚の撮影画像に対応する５枚のサムネイル画像の中から利用者が選択したサムネイル画像に対応する撮影画像が、編集対象として表示される領域である。
【０２４５】
編集領域６１１の下側には、編集対象となる撮影画像に対して編集を施すための編集機能を提供する編集ツール（合成用画像）を利用者に選択させるための編集パレット６１２が表示されている。
【０２４６】
編集パレット６１２には、編集ツールが、「ペン」、「オススメ」、「スタンプ」、「ＭＯＪＩ」、「変身」といったカテゴリ毎のタブで分類されて表示される。図３１の例では、「ペン」タブが選択されている。
【０２４７】
編集領域６１１の左側には、編集領域６１１に表示されている撮影画像に対して、白ふち加工を施すためのGUI（Graphical User Interface）パーツが設けられる白ふち加工操作領域６１３が設けられている。
【０２４８】
白ふち加工操作領域６１３には、白ふち加工調整部６２１および白ふちOFFボタン６２２が設けられる。
【０２４９】
白ふち加工調整部６２１は、編集領域６１１に表示されている撮影画像に付される白ふちの太さを調整するために用いられる。白ふち加工調整部６２１には、上から下へ、白ふちの太さを表す０乃至５の目盛りが振られている。目盛りの値が大きいほど、白ふちの太さが太くなることを示している。なお、目盛りの値は、整数に限らず、0.5単位などの小数で示されるようにしてもよい。
【０２５０】
利用者が、白ふち加工調整部６２１において、操作アイコン６２１ａを所定の値の目盛りに合わせることで、その値に対応する太さの白ふちが、編集領域６１１に表示されている撮影画像に付される。
【０２５１】
例えば、図３２に示されるように、操作アイコン６２１ａが、２の目盛りに合わされることで、その値に対応する太さの白ふち６３１が、編集領域６１１に表示されている撮影画像に付される。すなわち、編集領域６１１の大きさは固定で、白ふち６３１の太さが可変となる。なお、詳細は後述するが、編集領域６１１に表示されている撮影画像自体は、白ふち６３１の太さに応じて縮小されるようになされる。
【０２５２】
白ふちOFFボタン６２２は、編集領域６１１に表示されている撮影画像に付された白ふちを消去するために用いられる。
【０２５３】
なお、白ふちの太さを調整するために、上述した白ふち加工調整部６２１に代えて、白ふちの太さを表す値を選択するラジオボタンや、その値を入力するテキストボックスなどが設けられるようにしてもよい。
【０２５４】
このようにして、撮影画像の縁部分に白ふちが付される。
【０２５５】
特に、白色のような明度の高い色は膨張色と言われ、対して、黒色や寒色系の色などの明度の低い色は収縮色と言われる。
【０２５６】
そこで、上述したように、撮影画像の縁部分に白ふちを付すことで、撮影画像の縁部分に黒色や寒色系の色の縁を付した場合と比べて、撮影画像をより大きく見せることができるようになる。また、撮影画像の縁部分に白ふちを付すことで、撮影画像が、白色の背景の前に置かれているような、立体感のある見た目を実現することもできる。
【０２５７】
なお、シール紙（ロール紙）に、白ふち加工が施された撮影画像（編集画像）が印刷される際には、撮影画像に付された白ふちは透過された状態で印刷される。これにより、最終的に出力される写真シールにおいて、白ふち加工が施された撮影画像は、浮き上って見えるようになり、より立体感のある見た目を実現することができる。
【０２５８】
＜白ふち加工の詳細＞
ここで、図３３を参照して、縁形成部６０２による白ふち加工の詳細について説明する。
【０２５９】
編集画面の編集領域６１１においては、図３３の左側に示されるように、撮影画像６４１が、撮影画像６４１と同一サイズで白色の色画像６４２の上に重畳された状態で表示されている。
【０２６０】
編集画面において白ふち加工調整部６２１が操作されることで、白ふちの太さを表す所定の値が選択されると、図３３の右側に示されるように、撮影画像６４１が、その中心位置固定で、その値に対応する縮小率で縮小される。その結果、編集画面の編集領域６１１においては、撮影画像６４１の縁部分に白ふちが付されたように見えるようになる。
【０２６１】
このとき、撮影画像６４１は、アスペクト比一定のまま縮小される。すなわち、編集対象となる撮影画像がアップ画像の場合、横縦比が１：1.2のまま、また、編集対象となる撮影画像が全身画像の場合、横縦比が１：1.4のまま、撮影画像が縮小される。これにより、撮影画像６４１を同じアスペクト比の色画像６４２とのバランスを保ちながら、白ふちを形成することができる。
【０２６２】
＜白ふち加工が施された撮影画像に対する編集＞
次に、図３４を参照して、白ふち加工が施された撮影画像に対する編集について説明する。以下、白ふち加工が施された撮影画像を、白ふち加工画像ということとする。
【０２６３】
図３４には、撮影画像の縮小率が異なる３つの白ふち加工画像が示されている。
【０２６４】
図３４左側には、撮影画像６４１が、元のサイズとの比が１００％とされた白ふち加工画像（すなわち、白ふちが付されていない状態の撮影画像６４１）が示されている。図３４中央には、撮影画像６４１が、元のサイズとの比が９０％とされた白ふち加工画像が示されている。図３４右側には、撮影画像６４１が、元のサイズとの比が７７％とされた白ふち加工画像が示されている。
【０２６５】
図３４においては、右側の白ふち加工画像ほど、縮小率は大きくなり、下層の色画像６４２が露呈することで白ふちの太さが太くなっている。
【０２６６】
さて、図３４に示される３つの白ふち加工画像には、それぞれ同じ合成用画像が合成されている。具体的には、３つの白ふち加工画像には、スタンプ画像６５１、ペン画像６５２、スタンプ画像６５３、スタンプ画像６５４、およびペン画像６５５が合成されている。
【０２６７】
スタンプ画像６５１は、ハート型の形状を有するスタンプ画像であり、３つの白ふち加工画像のいずれにおいても、その全てが表示されている。すなわち、スタンプ画像６５１は、撮影画像６４１より上層のレイヤに合成可能な合成用画像である。
【０２６８】
ペン画像６５２は、「ＬＯＶＥ」の文字、ハート型、および「彡」の文字（記号）が手書き入力されたペン画像であり、３つの白ふち加工画像のいずれにおいても、その全てが表示されている。すなわち、ペン画像６５２もまた、撮影画像６４１より上層のレイヤに合成可能な合成用画像である。
【０２６９】
スタンプ画像６５３は、動物の耳を模したスタンプ画像であり、３つの白ふち加工画像のいずれにおいても、その全てが表示されている。すなわち、スタンプ画像６５３もまた、撮影画像６４１より上層のレイヤに合成可能な合成用画像である。さらに、スタンプ画像６５３は、撮影画像６４１において認識された利用者の顔の特定の位置に合成されるようになされており、撮影画像６４１のサイズ（縮小率）の変化に応じて、その位置およびサイズが変化する。すなわち、スタンプ画像６５３は、撮影画像６４１の縮小率によらず、撮影画像６４１に対して、相対的に同じ位置および大きさとなるようになされる。
【０２７０】
スタンプ画像６５４は、ハート型の形状を有するスタンプ画像であり、３つの白ふち加工画像においては、その一部または全部が撮影画像６４１に隠されるように表示されている。すなわち、スタンプ画像６５４は、撮影画像６４１と色画像６４２との間のレイヤに合成可能な合成用画像である。
【０２７１】
ペン画像６５５は、「ＬＯＶＥ」の文字とハート型が手書き入力されたペン画像であり、３つの白ふち加工画像においては、その一部または全部が撮影画像６４１に隠されるように表示されている。すなわち、ペン画像６５５もまた、撮影画像６４１と色画像６４２との間のレイヤに合成可能な合成用画像である。
【０２７２】
このように、白ふち加工画像に対しては、その白ふちの部分にもスタンプ画像やペン画像を合成することができる。これにより、編集画面の編集領域６１１において、編集可能な領域を狭めることなく、編集領域６１１全体に対して編集を施すことができ、編集作業の自由度を保つことができる。
【０２７３】
さらに、スタンプ画像やペン画像の種類によっては、撮影画像６４１より上層のレイヤに合成されたり、撮影画像６４１と色画像６４２との間のレイヤに合成されるので、撮影画像の立体感をより一層高めることができる。
【０２７４】
なお、図３１の編集画面において、各種のスタンプ画像やペン画像が合成された編集画像を１回の操作で作成するための一発らくがきボタンを設けるようにしてもよい。一発らくがきボタンが操作されると、複数のスタンプ画像やペン画像の組み合わせが、複数種類表示され、その中から利用者に選択された種類の組み合わせが、編集対象となる撮影画像に合成される。
【０２７５】
この場合、編集対象となる撮影画像に白ふち加工が施されているか否かに応じて、スタンプ画像やペン画像の組み合わせの種類が変わるようにしてもよい。具体的には、編集対象となる撮影画像に白ふち加工が施されている場合、一発らくがきボタンが操作されると、白ふち加工画像に適したスタンプ画像やペン画像の組み合わせが表示されるようにする。白ふち加工画像に適したスタンプ画像やペン画像は、図３４を参照して説明した、異なるレイヤに合成可能なスタンプ画像やペン画像であり、白ふちの部分にも合成可能なスタンプ画像やペン画像である。
【０２７６】
なお、編集対象となる撮影画像に白ふち加工が施されているか否かにかかわらず、一発らくがきボタンが操作されると、複数のスタンプ画像やペン画像の組み合わせが全種類表示されるが、編集対象となる撮影画像に白ふち加工が施されているか否かに応じて、選択可能な組み合わせの種類が限定されるようにしてもよい。
【０２７７】
以上においては、編集対象となる撮影画像に対して、個別に白ふち加工を施す例について説明してきたが、複数の撮影画像に対して、一括して白ふち加工を施すようにすることもできる。
【０２７８】
図３５は、白ふち加工のガイダンス画面の例を示している。
【０２７９】
図３５に示されるガイダンス画面は、利用者に対して白ふち加工の機能を説明するための画面であり、図３１の編集画面が表示される前に表示される。
【０２８０】
図３５のガイダンス画面の上側には、吹き出し画像６７１が表示されている。吹き出し画像６７１の上部には、『オシャレな「白ふち落書き」使ってみる？』のメッセージが表示され、その下には、ボタン６８１，６８２が表示されている。
【０２８１】
ボタン６８１は、編集対象となる撮影画像に対して、個別に白ふち加工を施す場合に選択されるボタンである。ボタン６８１が選択されると、図３１の編集画面が表示される。
【０２８２】
ボタン６８２は、編集対象となる撮影画像に対して、一括して白ふち加工を施す場合に選択されるボタンである。
【０２８３】
吹き出し画像６７１の下には、サンプルレイアウト画像６７２が表示されている。サンプルレイアウト画像６７２には、５枚の白ふち加工画像６９１乃至６９５が配置されている。白ふち加工画像６９１乃至６９５においては、それぞれ異なる太さの白ふちが付されている。
【０２８４】
すなわち、サンプルレイアウト画像６７２を指し示す吹き出し画像６７１において、ボタン６８２が選択されることで、５枚の撮影画像に対して、それぞれ異なる太さの白ふちが付される白ふち加工が一括して施されるようになる。
【０２８５】
なお、ボタン６８２が選択された後は、図３１の編集画面が表示されるようにし、個々の白ふち加工画像について、さらに、白ふちの太さを調整することができるようにする。
【０２８６】
これにより、白ふち加工の機能を利用したことのない利用者であっても、簡単に白ふち加工の機能を利用することができる。
【０２８７】
また、５枚の撮影画像に対して、同じ太さの白ふちが付されるようにした場合、利用者は、個々の白ふち加工画像について白ふちの太さを調整できることに気づかないおそれがあるが、５枚の撮影画像に対して、それぞれ異なる太さの白ふちが付されるようにすることで、直感的に、個々の白ふち加工画像について白ふちの太さを調整できることを気づかせるようにすることができる。
【０２８８】
＜白ふち加工画像の印刷態様について＞
図３６は、シール紙に印刷される白ふち加工画像の例を示している。
【０２８９】
図３６左側に示される白ふち加工画像においては、撮影画像６４１の外縁（輪郭）を示す線は表示されず、色画像６４２の外縁（輪郭）を示す線が表示される。
【０２９０】
一方、図３６右側に示される白ふち加工画像においては、撮影画像６４１の外縁（輪郭）を示す線が表示され、色画像６４２の外縁（輪郭）を示す線は表示されない。
【０２９１】
例えば、シール紙に印刷される際、レイアウト画像の色が白色の場合には、白ふち加工画像全体とその周囲との境界を明確にするために、図３６左側の形態を採るようにする。
【０２９２】
また、シール紙に印刷される際、撮影画像６４１の背景が白色の場合には、撮影画像６４１と色画像６４２との境界を明確にするために、図３６右側の形態を採るようにする。
【０２９３】
さらに、本実施の形態においては、白ふち加工画像に合成された合成用画像の位置に応じて、シール紙に印刷されるレイアウト画像において、白ふち加工を反映させるか否かが決まるようになされている。
【０２９４】
例えば、図３７左側に示されるように、所定の縮小率で縮小された撮影画像６４１と、色画像６４２とが重畳されてなる白ふち加工画像に、スタンプ画像ｓ１が合成されている。スタンプ画像ｓ１は、縮小された撮影画像６４１を囲むように設定された領域Ｒ１から、その一部がはみ出すような位置に合成されている。
【０２９５】
このように、縮小された撮影画像６４１を囲むように設定された領域Ｒ１から、その一部がはみ出すような位置にスタンプ画像ｓ１が合成されている場合、シール紙に印刷されるレイアウト画像においては、図３７右側に示されるように、その撮影画像６４１に対する白ふち加工とスタンプ画像ｓ１を反映させるようにする。
【０２９６】
一方、図３８左側に示されるように、縮小された撮影画像６４１を囲むように設定された領域Ｒ１からはみ出さない位置にスタンプ画像ｓ１が合成されている場合、シール紙に印刷されるレイアウト画像においては、図３８右側に示されるように、その撮影画像６４１に対する白ふち加工を反映させず、撮影画像６４１を元のサイズとする。なお、スタンプ画像ｓ１は、撮影画像６４１に重なる部分のみが表示されるようになる。
【０２９７】
＜変形例＞
以上においては、撮影画像の縁部分に形成される縁領域の色は白色であるものとしたが、これに限らず、透明であってもよい。透明な縁が付された撮影画像がSNSなどに投稿された場合、撮影画像の縁部分には、そのSNSの背景の色や絵柄などが表示されるようになる。
【０２９８】
また、撮影画像の縁部分に形成される縁領域の色を、利用者に選択させるようにしてもよいし、事前選択処理において選択されたコースによって決定されるようにしてもよい。例えば、人数コースとしての２人用コースおよび大人数コースのうち、２人用コースが選択された場合には、縁領域の色を白色とし、大人数コースが選択された場合には、縁領域の色を他の色とする。
【０２９９】
このように、縁領域の色を白色以外の色とすることで、撮影画像に関するデザインの自由度を高めることができるようになる。
【０３００】
さらに、以上においては、白ふち加工される撮影画像は、色画像と同じアスペクト比のまま縮小されるものとしたが、色画像と異なるアスペクト比となるように縮小されるようにしてもよい。この場合、縮小される撮影画像のアスペクト比を利用者に選択させるようにしてもよいし、色画像のアスペクト比を利用者に選択させるようにしてもよい。
【０３０１】
また、白ふち加工画像に合成されるスタンプ画像として、図３９に示されるような、白ふちに合ったスタンプ画像ｓ２が用意されるようにしてもよい。
【０３０２】
図３９左側に示されるように、撮影画像６４１上の右下には、その角部分に合うように、Ｌ字型のスタンプ画像ｓ２が合成されている。このような形状のスタンプ画像により、撮影画像全体をすっきりと見せることができる。
【０３０３】
このような形状のスタンプ画像ｓ２は、図３９中央に示されるように、撮影画像６４１上の右下で、撮影画像６４１と色画像６４２に跨るようにして合成されるようにもできる。
【０３０４】
また、このような形状のスタンプ画像ｓ２は、撮影画像６４１上の左上に移動させ、１８０度回転させることで、図３９右側に示されるように、撮影画像６４１上の左上の角部分に合うようにして合成されるようにもできる。
【０３０５】
さらに、白ふち加工画像に合成されるペン画像として、図４０に示されるようなペン画像ｐ１が用意されるようにしてもよい。
【０３０６】
図３９に示される白ふち加工画像には、色画像６４２の縁部分を始点として、撮影画像６４１を跨り、色画像６４２の縁部分を終点としたペン画像ｐ１が合成されている。このとき、ペン画像ｐ１は、図３９左側に示されるように、撮影画像６４１より上層のレイヤに合成されるようにしてもよいし、図３９右側に示されるように、撮影画像６４１と色画像６４２との間のレイヤに合成されるようにしてもよい。また、ペン画像ｐ１が合成されるレイヤを、あらかじめ利用者に選択させるようにしてもよい。
【０３０７】
また、編集画面や携帯端末における白ふち加工画像の表示態様として、複数の白ふち加工画像が、パラパラ漫画のように順次表示されるようにしてもよい。例えば、１枚の撮影画像に対して、複数種類のふちの太さの白ふち加工を施し、それらが順次表示されるようにしてもよいし、複数の撮影画像それぞれに対して、同じふちの太さの白ふち加工を施し、それらが順次表示されるようにしてもよい。さらに、白ふち加工のガイダンス画面（図３５）において、複数の撮影画像に対して、一括して白ふち加工を施すことが選択された場合に、これらの撮影画像が順次表示されるようにしてもよい。
【０３０８】
＜その他の例＞
以上においては、主に、利用者の操作により、撮影画像に付される白ふちの太さが変わるものとしたが、さらなる他の条件によって、撮影画像に付される白ふちの太さが変わる例について説明する。
【０３０９】
（合成用画像の有無）
編集対象となる撮影画像に合成されている合成用画像の有無によって、撮影画像に付される白ふちの太さが変わるようにしてもよい。
【０３１０】
例えば、編集対象となる撮影画像に合成用画像が合成されている場合、撮影画像に付される白ふちの太さを太くし、編集対象となる撮影画像に合成用画像が合成されていない場合、撮影画像に付される白ふちの太さを細くする。これにより、白ふち部分に合成されたスタンプ画像やペン画像を目立つようにすることができる。
【０３１１】
逆に、編集対象となる撮影画像に合成用画像が合成されている場合、撮影画像に付される白ふちの太さを細くし、編集対象となる撮影画像に合成用画像が合成されていない場合、撮影画像に付される白ふちの太さを太くするようにしてもよい。これにより、編集が施されていない撮影画像であっても、白ふちによって、編集が施された編集画像と同等かそれ以上に目立つようにすることができる。
【０３１２】
（合成用画像の数）
編集対象となる撮影画像に合成されている合成用画像の数によって、撮影画像に付される白ふちの太さが変わるようにしてもよい。
【０３１３】
例えば、編集対象となる撮影画像に合成されている合成用画像の数が所定数より多い場合、撮影画像に付される白ふちの太さを太くし、編集対象となる撮影画像に合成されている合成用画像の数が所定数より少ない場合、撮影画像に付される白ふちの太さを細くする。これにより、白ふち部分に合成された多くのスタンプ画像やペン画像を目立つようにすることができる。
【０３１４】
逆に、編集対象となる撮影画像に合成されている合成用画像の数が所定数より多い場合、撮影画像に付される白ふちの太さを細くし、編集対象となる撮影画像に合成されている合成用画像の数が所定数より少ない場合、撮影画像に付される白ふちの太さを太くするようにしてもよい。これにより、多くの編集が施されていない撮影画像であっても、白ふちによって、多くの編集が施された編集画像と同等かそれ以上に目立つようにすることができる。
【０３１５】
（撮影画像の枚数）
得られた撮影画像の枚数に応じて、撮影画像に付される白ふちの太さが変わるようにしてもよい。得られた撮影画像の枚数は、事前選択処理において選択された人数コースや撮影コース、ボーナス撮影の有無などによって決まるものとする。
【０３１６】
例えば、得られた撮影画像の枚数が６枚の場合、撮影画像に付される白ふちの太さを細くし、得られた撮影画像の枚数が５枚の場合、撮影画像に付される白ふちの太さを太くする。シール紙に印刷されるレイアウト画像においては、撮影画像の枚数が少ない方が、撮影画像それぞれのサイズを大きくすることができる。そこで、撮影画像の枚数が少ない場合に、撮影画像に付される白ふちの太さを太くしても、個々の撮影画像に写る利用者の顔が小さくなり過ぎないようにすることができる。
【０３１７】
逆に、得られた撮影画像の枚数が６枚の場合、撮影画像に付される白ふちの太さを太くし、得られた撮影画像の枚数が５枚の場合、撮影画像に付される白ふちの太さを細くするようにしてもよい。
【０３１８】
また、レイアウト画像に配置される撮影画像に白ふちが付されているか否かに応じて、出力される写真シールの大きさが変わるようにしてもよい。例えば、レイアウト画像に配置される撮影画像に白ふちが付されていない場合、出力される写真シールの大きさを小さくし、レイアウト画像に配置される撮影画像に白ふちが付されている場合、出力される写真シールの大きさを大きくする。これにより、白ふちが付されることで縮小された撮影画像を大きくすることができる。
【０３１９】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０３２０】
すなわち、本技術は、撮影画像や編集画像がシール紙に印刷された写真シールを作成する写真シール作成装置に限らず、単に、撮影画像や編集画像を作成するゲームを提供する写真作成ゲーム機に適用することができる。
【０３２１】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０３２２】
この記録媒体は、例えば、図９に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０３２３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３２４】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０３２５】
また、本技術の実施の形態は、上述した実施の形態に限定されるものではなく、本技術の要旨を逸脱しない範囲において種々の変更が可能である。
【符号の説明】
【０３２６】
１  写真シール作成装置
２０１  制御部
３０１  事前選択処理部
３０２  撮影処理部
３０３  編集処理部
３０４  印刷処理部
３３１  表示制御部
３３２  編集制御部
３３３  ガイダンス出力制御部
３３４  通信制御部
３４１  印刷制御部
３４２  カット位置設定部
３４３  カット制御部
【図１】
2017194596.tif 000003
【図２】
2017194596.tif 000004
【図３】
2017194596.tif 000005
【図４】
2017194596.tif 000006
【図５】
2017194596.tif 000007
【図６】
2017194596.tif 000008
【図７】
2017194596.tif 000009
【図８】
2017194596.tif 000010
【図９】
2017194596.tif 000011
【図１０】
2017194596.tif 000012
【図１１】
2017194596.tif 000013
【図１２】
2017194596.tif 000014
【図１３】
2017194596.tif 000015
【図１４】
2017194596.tif 000016
【図１５】
2017194596.tif 000017
【図１６】
2017194596.tif 000018
【図１７】
2017194596.tif 000019
【図１８】
2017194596.tif 000020
【図１９】
2017194596.tif 000021
【図２０】
2017194596.tif 000022
【図２１】
2017194596.tif 000023
【図２２】
2017194596.tif 000024
【図２３】
2017194596.tif 000025
【図２４】
2017194596.tif 000026
【図２５】
2017194596.tif 000027
【図２６】
2017194596.tif 000028
【図２７】
2017194596.tif 000029
【図２８】
2017194596.tif 000030
【図２９】
2017194596.tif 000031
【図３０】
2017194596.tif 000032
【図３１】
2017194596.tif 000033
【図３２】
2017194596.tif 000034
【図３３】
2017194596.tif 000035
【図３４】
2017194596.tif 000036
【図３５】
2017194596.tif 000037
【図３６】
2017194596.tif 000038
【図３７】
2017194596.tif 000039
【図３８】
2017194596.tif 000040
【図３９】
2017194596.tif 000041
【図４０】
2017194596.tif 000042